(57)【特許請求の範囲】
【請求項１】
カー信号の検知部と、コーラーＩＤを表示する表示部と、装置本体に接続された外部端末と、この外部端末を通常時外線に接続する切替部と、前記外部端末が前記カー信号に応答してコーラーＩＤを受信するための所定の動作を行う間、外線と装置本体とを閉結することなく外線を監視してコーラーＩＤを受信するモデムと、コーラーＩＤを受信すると、前記表示部にコーラーＩＤを表示させる制御手段とを具備し、前記外部端末がコーラーＩＤを表示するのとほぼ同時に前記表示部はコーラーＩＤを表示し、前記制御手段は前記外部端末が所定回数カー信号に応答しない場合前記外部端末の代わりにコーラーＩＤを受信するための所定の動作を行うことを特徴とする通信装置。
【発明の詳細な説明】
【０００１】
【発明の属する技術分野】
本発明は、回線からの着信時に発呼側の識別情報を受信する通信装置に関する。
【０００２】
【従来の技術】
交換機が発呼側の電話番号を呼出信号と共に送出し、着呼側の電話機やファクシミリ装置等の通信端末装置に発呼側電話番号を表示し、どこから電話がかかってきたのか識別できるようにするシステムが開発されている。このシステムは、「発信電話番号通知」、「コーラーＩＤ」、「コーラーディスプレイ」等の名称で呼ばれている（以下、「コーラーＩＤシステム」という）。
【０００３】
以下、従来のコーラーＩＤシステム対応の端末装置の構成を説明する。この端末装置はコーラーＩＤ受信装置を搭載する。このコーラーＩＤ受信装置では、着信検出部は、回線からのコーラーＩＤ着信信号（以下、カー信号という）（０．５間隔のパルス信号）の有無を監視する。着信検出部がコーラーＩＤ着信信号を検出すると、装置制御部が、回線開閉部に回線を閉結させる。次に、モデムで構成されたＶ２３ＲＸ制御部３が、回線から入力される発呼側識別情報としてのコーラーＩＤを所定の手順により受信する。コーラーＩＤは、１２００ボーのデータ信号として送信されて来ることが取り決められている。所定の手順によりＶ２３ＲＸ制御回路がコーラーＩＤの受信を完了すると、装置制御部は、回線開閉部に回線を開放させる。ここまでの処理は、一次応答と呼ばれる所定の処理であり、コーラーＩＤ対応の機種は全てこの動作が可能であるように設計されている。そして、一次応答の処理が終わると、受信したコーラーＩＤを、データ蓄積部に記憶保持すると共に、表示部に表示する。一方、回線開閉部が回線を開放すると、交換機より通常の呼出信号（１秒ＯＮ、２秒ＯＦＦ）が送出されて来る。これに応じて、端末装置は鳴動する。
【０００４】
端末装置に外部端末が接続されている場合、一次応答を終了すると、装置制御部は、内／外線切替部に外部電話機を内線から外線へと切り替える。この結果、外部端末にも、通常の呼出信号が入力され、鳴動する。
【０００５】
【発明が解決しようとする課題】
従来のコーラーＩＤ受信装置は、回線に接続された端末側でコーラーＩＤを受信し、外部端末はコーラーＩＤを受信することなく、一次応答後の呼出信号により鳴動を行っている。
【０００６】
このため、従来の通信端末装置では、以下に挙げる問題がある。
【０００７】
第１に、回線に直接接続されている通信端末装置においてコーラーＩＤを受信処理してしまうので、外部端末がコーラーＩＤに対応したものであってもコーラーＩＤを表示することができない。
【０００８】
第２に、外部端末にコーラーＩＤを受信する機能がない場合、外部端末側ではコーラーＩＤを確認することができない。つまり、通信相手を確認してから応答したい場合、回線に接続されているコーラーＩＤを表示する端末まで確認に行く必要があり、面倒である。
【０００９】
第３に、コーラーＩＤに対応した通信端末装置を回線に対して、複数の他の通信端末装置を並列に接続したとしても、各通信端末装置において、コーラーＩＤ着信信号を検知してから回線を接続するまでの一次応答のタイミングが異なっているので、全ての端末においてコーラーＩＤを受信することができない。
【００１０】
また、各通信端末装置の一次応答のタイミングを一致させるには、各通信端末装置の設定を合わせる作業を行う必要があり、面倒である。
【００１１】
本発明は、かかる点に鑑みてなされたものであり、外部端末でも発信電話番号を表示することが可能である通信装置を提供することを目的とする。また、外部端末と同時に発信電話番号を表示することが可能である通信装置を提供することを目的とする。
【００１２】
【課題を解決するための手段】
本発明は、上記課題を解決するために、以下のような手段を講じた。
【００１３】
請求項１記載の通信装置に関する発明は、カー信号の検知部と、コーラーＩＤを表示する表示部と、装置本体に接続された外部端末と、この外部端末を通常時外線に接続する切替部と、前記外部端末が前記カー信号に応答してコーラーＩＤを受信するための所定の動作を行う間、外線と装置本体とを閉結することなく外線を監視してコーラーＩＤを受信するモデムと、コーラーＩＤを受信すると、前記表示部にコーラーＩＤを表示させる制御手段とを具備し、前記外部端末がコーラーＩＤを表示するのとほぼ同時に前記表示部はコーラーＩＤを表示し、前記制御手段は前記外部端末が所定回数カー信号に応答しない場合前記外部端末の代わりにコーラーＩＤを受信するための所定の動作を行う構成を採る。
【００１４】
この構成により、装置本体に接続された外部端末において、コーラーＩＤを表示できる。また、外部端末にコーラーＩＤを受信させ、その間、外線を監視して装置本体でもコーラーＩＤを受信するようにしたので、外部端末にコーラーＩＤを表示させると共に、装置本体でも同時にコーラーＩＤを表示させることができる。この結果、装置本体がコーラーＩＤを受信してから外部端末がコーラーＩＤを受信するまでのタイムラグがないため、外部端末を外線からの呼出に対してより速く反応させることができる。
【００１５】
さらに、カー信号の回数を監視し、外部端末が呼出に応答しない場合は、装置本体がコーラーＩＤを受信するようにしたので、カー信号に対応することができ、コーラーＩＤサービスを確実に受けられる。
【００１６】
【発明の実施の形態】
以下、本発明の実施の形態１〜３について、図面を参照しながら説明する。
【００１７】
（実施の形態１）
図１は、本発明の実施の形態１に係るコーラーＩＤ受信装置を搭載したファクシミリ装置の全体ブロック図である。
【００１８】
装置制御部１は、ファクシミリ装置全体を制御する。
【００１９】
着信信号検知部２は、外線３から入力されるカー信号を検知する回路である。着信信号検知部２は、カー信号を検知した場合に検知信号を装置制御部１に送信する。
【００２０】
回線開閉部４は、外線３とファクシミリ装置本体との回線接続を制御するものである。回線開閉部４は、装置制御部１による制御に従って外線３を閉結又は開放する。
【００２１】
Ｖ２３ＲＸ制御部５は、外線３から入力されるコーラーＩＤをモデム手順で受信し、装置制御部１に受信したコーラーＩＤを送信する。Ｖ２３ＲＸ制御部５はモデムで構成されている。このモデムは、ファクシミリ通信と併用される。また、Ｖ２３ＲＸ制御部５は、回線開閉部４により外線３を接続しなくとも外線３を監視する機能を備えている。具体的には、外線３の極性の反転により外線３の状況を監視している。
【００２２】
音声送出部６は、コーラーＩＤに対応づけられた音声データを内線８に送出するものであり、例えば、「０１２３４５６からの電話です」等メッセージ、または、予め利用者がコーラーＩＤに対応する名前等の音声を図示しない音声記憶手段により記憶しておき、「鈴木さんからの電話です」等のようにコーラーＩＤに対応する音声データを送出するものである。
【００２３】
Ｖ２３ＴＸ制御部７は、コーラーＩＤをモデム手順で内線８に送出するものであり、モデムで構成されている。コーラーＩＤは、通常行われるコーラーＩＤの手順により内線８へと送り出される。
【００２４】
内線給電部９は、内線８へ電力を供給する。
【００２５】
内／外線切替部１０は、外部端末１１に接続される接続線１２を、外線３又は内線８に切り替え接続する。通常時、内／外線切替部１０は接続線１２を内線８に接続している。
【００２６】
外部端末１１は、ファクシミリ装置にコネクタ部１３を介して直列に接続される通信端末装置であり、ファクシミリ、電話、データモデム等である。
【００２７】
ループ検知部１４は、外部端末１１が、オンフック又はオフフックにより、回線（外線３及び内線８を含む）を閉結又は開放したことを検知する回路である。
【００２８】
表示部１５は、受信したコーラーＩＤや、その他メッセージ等を表示するためのものであり、例えばＬＣＤで構成されている。
【００２９】
記憶部１６は、装置制御部１に接続されており、メモリで構成されている。この記憶部１６には、Ｖ２３ＲＸ制御部５によって受信した受信コーラーＩＤが記憶保持される。また、記憶部１６は、外部端末１１にコーラーＩＤを送出するか否かを示す第１のフラグ、及び、送信するコーラーＩＤをＶ２３ＴＸ制御部７によりデータ信号として送信するか、音声送出部６より音声で送信するかを示す第２のフラグを保持する。さらに、記憶部１６は、コーラーＩＤに対応させた音声データ及びキャラクタデータや、ファクシミリ通信により受信した受信画像データを保持する。
【００３０】
パネル部１７は、ファクシミリ装置の操作を行う、ダイヤルキー及びファンクションキー等を含む。記録部１８は、受信画像データ等を印刷するプリンタである。また、読取部１９は、原稿を取り込むスキャナである。また、通話部２０は、外線３及び内線８を介して通話を行う機能を備えている。通話部２０は、外線３及び内線８からの呼び出しを音により知らせる鳴動部を備えている。なお、鳴動部に代えて又はその他に、音でなく、ＬＥＤの点灯、振動等により呼び出しを知らせる報知手段であっても良い。
【００３１】
上述の構成からなるコーラーＩＤ受信装置を搭載したファクシミリ装置の動作を図２を用いて説明する。図２は、上記実施の形態１に係るコーラーＩＤ受信装置の動作を示すフロー図である。
【００３２】
図２において、工程（以下、ＳＴという）２０１においては、着信信号検出部２が、外線３からのカー信号（０．５秒間隔のパルス信号）の検知の有無を判定する。着信信号検出部２は、カー信号を検知するまで判定を繰り返す。
【００３３】
着信信号検出部２がカー信号を検知すると、ＳＴ２０２において、コーラーＩＤの一次応答処理を行う。一次応答処理においては、まず装置制御部１が、着信信号検出部２からの検知信号に基づき、回線開閉部４に外線３を閉結させる。次に、Ｖ２３ＲＸ制御部５が、外線３からのコーラーＩＤを所定の手順で受信する。コーラーＩＤは１２００ボーのデータ信号として送信されてくる。装置制御部１は、コーラーＩＤを記憶部１６に記憶する。
【００３４】
ＳＴ２０３において、装置制御部１は、第１のフラグが受信コーラーＩＤを送信するように設定されているか否かを判断する。コーラーＩＤを送信するように設定されていると判断した場合（Ｙｅｓ）、ＳＴ２０４において、装置制御部１は、第２のフラグを参照して、受信コーラーＩＤをデータ信号として送信するか、音声として送信するかを判断する。
【００３５】
コーラーＩＤをデータ信号として送信するように設定されていると判断した場合（Ｙｅｓ）、ＳＴ２０５において、Ｖ２３ＲＸ制御部５がカー信号を内線８へ送出する。カー信号は、内線切替部１０、接続線１２及びコネクタ部１３を介して外部端末１１に送信される。
【００３６】
ＳＴ２０６においては、ループ検知部１４が、外部端末１１が内線８と閉結した否かを判定する。
【００３７】
ループ検知部１４が、外部端末１１が回線を閉結したことを検知した場合（Ｙｅｓ）、ＳＴ２０７において、Ｖ２３ＴＸ制御部７は記憶部１６に記憶保持したコーラーＩＤを通常のコーラーＩＤ送信手順に従って外部端末１１に送信する。この送信は、交換機が行うコーラーＩＤ送信手順と同様である。
【００３８】
ＳＴ２０８において、外部端末１１が回線を開放したか否かをループ検知部１０が検知する。この時点で、外部端末１１は、内線８を経由したコーラーＩＤの一次応答を完了する。この結果、外部端末１１にコーラーＩＤを表示させることができるため、ファクシミリ装置までコーラーＩＤを確認に行く必要がない。
【００３９】
この後、外部端末１１が内線８を開放したと判断した場合（Ｙｅｓ）、ＳＴ２０９において、内／外線切替部１０は外線３に切り替え、外部端末１１を外線３に接続する。外線３には、交換機より通常の呼出信号（１秒ＯＮ、２秒ＯＦＦ）が送られてきている。これにより、外部端末１１はこの呼出信号を受信し、鳴動する。
【００４０】
一方、ＳＴ２０３において、第１のフラグがコーラーＩＤを送信する設定になっていない場合（Ｎｏ）、ＳＴ２０９に進み、外部端末１１を外線３に接続する。
【００４１】
また、ＳＴ２０６においては、Ｖ２３ＴＸ制御部７がカー信号を５回送出しても外部端末１１が応答しない場合（Ｎｏ）、ＳＴ２０９に進み、外部端末１１を外線３に接続する。従って、外部端末１１がコーラーＩＤの呼び出しに応答しない場合、ファクシミリ装置より通常の呼出信号が送信されてくるため、ファクシミリ装置側の設定が、外部端末１１にコーラーＩＤを送信する設定であり、かつ、外部端末１１がコーラーＩＤを受信不可能なタイプであっても、外部端末１１を確実に呼び出すことができる。
【００４２】
以下、ＳＴ２０４において、第２のフラグが音声によりコーラーＩＤを送出する設定になっている場合（Ｎｏ）について説明する。図３は、音声でコーラーＩＤを送信する動作を示すフロー図である。
【００４３】
ＳＴ３０１において、装置制御部１は、外部端末１１に対して通常の呼出信号を送出する。
【００４４】
ＳＴ３０２において、ループ検知部１４が、外部端末１１が回線を閉結したか否かを検知する。外部端末１１が内線８と閉結していない場合（Ｎｏ）、検知を繰り返す。
【００４５】
外部端末１１が内線８と閉結したことを検知した場合（Ｙｅｓ）、すなわち、使用者が外部端末１１の受話器を取ったとみなし、ＳＴ３０３において、装置制御部１が、ファクシミリ装置本体側の通話部２０の鳴動を停止する。これにより、装置制御部１が外部端末１１にコーラーＩＤを通知している間に、ファクシミリ装置側でオフフックしてしまい、呼び出しに対して最初に応答したはずの外部端末１１で応答ができなくなってしまうという不都合を防止している。
【００４６】
ＳＴ３０４においては、音声送出部６が、外部端末１１に対し内線８を介してコーラーＩＤに対応した音声メッセージを送出する。音声メッセージは、例えば、「お父さんからの電話です」や、「０１２３４５６からの電話です」など、電話番号に対応するものや、電話番号そのものである。これにより、外部端末１１がコーラーＩＤに非対応であっても発呼側情報を外部端末１１側に知らせることが可能である。
【００４７】
ＳＴ３０４において、音声送出部６は、外部端末１１に対して呼び出しに対応する処理の指示を促すメッセージを送出する。例えば、「電話に出るならば、１キー、対応しないならば２のキー、応答しないのであれば、受話器を置いて下さい」とメッセージを流す。
【００４８】
以下、この音声メッセージに対応した処理を示す。
【００４９】
ＳＴ３０５において、外部端末１１のダイヤルキー１１ａのうち１キーが押されたか否かを、ダイヤル検知手段２１により判断する。
【００５０】
１キーが押されたと判断した場合（Ｙｅｓ）、ＳＴ３０６において、内／外線切替部１０が外線３へ切り替え、外部端末１１に通話を行わせる。従って、１キーを押すことにより、外線３からの呼出に外部端末１１で対応することができる。
【００５１】
一方、ＳＴ３０５において、１キーが押されないと判断した場合（Ｎｏ）、ＳＴ３０７において、２キーが押されたか否かを判断する。
【００５２】
２キーが押されたと判断した場合（Ｙｅｓ）、ＳＴ３０８において、装置制御部１は、外線３からの呼出信号に対応する外部端末１１への呼出信号の送出を停止する。
【００５３】
次いで、ＳＴ３０９において、音声送出部６は、例えば、「ただ今、０１３４５６から電話がかかってきている状態です。しばらくお待ち下さい」のように、呼出中である旨の呼出中メッセージを外部端末１１に流す。これにより、ファクシミリ装置本体を呼出中である旨を知らせる。
【００５４】
ＳＴ３１０においては、ループ検知部１４で、外部端末１１が内線８を開放したか否かを検知して、利用者が外部端末１１の受話器を置いたか否かを判断する。
【００５５】
外部端末１１が内線を開放したことを検知した場合（Ｙｅｓ）、ＳＴ３１１において、着信信号検知部１により外線３から通常の呼出信号が来ているか否かに基づいて、呼び出しが終了したか否かを判断する。呼び出し終了と判断した場合（Ｙｅｓ）、ＳＴ３１２において、ファクシミリ装置本体は通常の待機状態に戻る。
【００５６】
一方、ＳＴ３１１において呼び出しが終了していないと判断した場合（Ｎｏ）、ＳＴ３１３において、ループ検知部１４により外部端末１１が内線８と閉結されたか否かを検知する。外部端末１１が内線８と閉結されたことを検知した場合（Ｙｅｓ）、ＳＴ３０９に戻り、音声送出部６が再び呼出中メッセージを送出する。一方、ＳＴ３１３において、外部端末１１が内線８と閉結されていないと判断した場合、ＳＴ３１１に戻り、再び呼び出し終了か否かを判断する。
【００５７】
上記ＳＴ３０９〜ＳＴ３１３の処理により、呼出中メッセージを聞いた後、外部端末１１が一旦内線８を開放し、再び内線８と閉結した際、外線３から通常の呼出信号が来つづけていた場合には、ファクシミリ装置本体は、外線３に応答することなく、再び呼出中メッセージを外部端末１１へ送信する。
【００５８】
一方、ＳＴ３１０で内線８が開放されていない場合（Ｎｏ）、ＳＴ３１４において、着信信号検知部１により、外線３からの通常の呼出信号の有無に基づいて、呼び出しが終了したか否か判断する。呼び出しが終了していないと判断した場合（Ｎｏ）、ＳＴ３０９に戻り、呼出中メッセージを送出し続ける。
【００５９】
呼出信号が終了したと判断した場合（Ｙｅｓ）、呼出中メッセージの送出を停止し、ＳＴ３１５において外部端末１１により内線８が開放されたか否かを判断する。内線８が開放されたと判断した場合（Ｙｅｓ）、ＳＴ３１２において、装置制御部１は、ファクシミリ装置本体を通常の待機状態とする。これにより、呼出中メッセージを送出中に外線３からの呼出信号が停止すると、それと同期して呼出中メッセージも停止し、呼び出しが停止されたことを確認することができる。
【００６０】
ＳＴ３０７〜ＳＴ３１５の処理により、利用者が２キーを押すと、外部端末１１の受話器から呼び出し中である旨の音声メッセージが聞こえる。利用者が受話器を置くと内線８が開放されるが、外部端末１１は鳴動することはない。さらに、外線３からの呼び出しが続いている状態で再び外部端末１１の受話器を上げても、同じ音声メッセージが聞こえてくるだけで、外線３からの呼び出しに対応することはない。
【００６１】
また、外線３からの呼び出し中は、ファクシミリ装置本体側の通話部２０は動作せず、表示部１５に受信したコーラーＩＤ又はコーラーＩＤに対応するキャラクタを表示して、外部端末１１を呼び出し中又はコーラーＩＤを送信中であることを報知することが好ましい。これにより、外部端末１１がコーラーＩＤに応答中であるにもかかわらず、ファクシミリ装置本体側で誤って受話器を取り、オフフックしてしまうのを防止することができる。
【００６２】
一方、ＳＴ３０７において、２キーが押圧されていないと判断した場合（Ｎｏ）、ＳＴ３１６において、ループ検知部１４により内線８が開放されたか否かを検知する。これにより、外部端末１１の１キー又は２キーの押圧がなく、かつ、内線８が開放されたか否かを判断する。
【００６３】
内線８が開放されたことを検知した場合（Ｙｅｓ）、ＳＴ３１７において、装置制御部１は、内／外線切替部１０により外部端末１１を外線３に切り替えることなく、外線３からの呼出信号に対応して通話部２０を鳴動させる。また、ファクシミリ装置側からの呼出信号を停止する。これにより、外部端末１１は鳴動することなく、ファクシミリ装置だけが鳴動する。
【００６４】
すなわち、利用者が音声メッセージを聞いた後、１キー又は２キーのいずれをも押さないで受話器を置くと、ファクシミリ装置は、外線３からの呼出信号に対応して再び鳴動する。しかし、外部端末１１は内線８に接続されたままの状態であり、かつ、ファクシミリ装置からの呼出信号も停止されているので鳴動することはない。この処理は、外部端末１１側で応答した利用者が、呼出中メッセージを聞いて、呼び出しが自分へのものではないと判断し、ファクシミリ装置側で呼び出しに対応して欲しい場合に行われる。
【００６５】
より具体的に説明すると、例えば、外部端末１１が娘の部屋Ａに、ファクシミリ装置が居間の部屋にある。父宛への呼び出しを娘が部屋Ａで対応した場合に、呼び出しに対応した娘は、音声メッセージを聞くことで、父宛てへの呼び出しである旨を確認する。
【００６６】
次に、娘は外部端末１１の受話器を置くだけで呼び出しを居間の部屋に回すことができる。このとき、娘の部屋Ａの外部端末１１は鳴動しないので、父への呼び出しであることを確認すると受話器を置くだけで、部屋Ａの外部端末１１は鳴動することがなく、娘は自分以外の呼び出しに対応しない鳴動音を聞かなくてすむ。
【００６７】
上述のように、上記実施の形態１に係るファクシミリ装置によれば、外部端末１１がコーラーＩＤを受信する機能がある場合、Ｖ２３ＴＸ制御部７よりコーラーＩＤをデータ信号として内線８を経由して外部端末１１に送信する。すなわち、ファクシミリ装置はコーラーＩＤを交換機と同じ手順及び同じ信号で外部端末１１に送出する。従って、コーラーＩＤは、交換機から外線３を通して送られてくるのと全く同様に外部端末１１で処理することが可能である。この結果、ファクシミリ装置と外部端末１１とを接続するのに特別な信号線を別に用意する必要がない。また、外部端末１１は通常のコーラーＩＤ受信機能を備えているだけで良く、特別な機能を有する専用機である必要がない。
【００６８】
また、外部端末１１がコーラーＩＤを受信する機能がない場合には、内線８を介して音声でコーラーＩＤを送信するため、利用者は、外部端末１１側で外線３に応答する前に発呼側情報を認識できる。
【００６９】
また、外部端末１１側で応答しないこととした後は、特定のキーを押圧することにより、ファクシミリ装置からの内線呼出を停止して外部端末１１の鳴動を停止するので、応答する意志がないのに外部端末１１側で鳴動が続いてしまう煩わしさがない。その後、外部端末１１の受話器を上げても外線３に接続されないため、対応したくない相手からの呼び出しに意に反して応答してしまうのを防止できる。
【００７０】
（実施の形態２）
以下、図４を参照して本発明の実施の形態２について説明する。
【００７１】
上記実施の形態２に係るファクシミリ装置は、図１に示す上記実施の形態１に係るファクシミリ装置と同様であるので、説明を省略する。
【００７２】
図４は、上記実施の形態２に係るファクシミリ装置における動作を示すフロー図である。
【００７３】
上記実施の形態２では、通常時、内／外線切替部１０は外部端末１１を外線３に接続している。
【００７４】
まず、ＳＴ４０１において、着信信号検知部２によりカー信号を検知する。カー信号を検知した場合（Ｙｅｓ）、ＳＴ４０２において、装置制御部１は、ループ検知部１４により外部端末１１が回線を閉結したか否かを検知することにより、外部端末１１がカー信号に応答したか否か判断する。
【００７５】
外部端末１１が応答した場合（Ｙｅｓ）、ＳＴ４０３において、Ｖ２３ＲＸ制御部５は、回線開閉部４により外線３を閉結することなく、外線３を監視すると共に、外部端末１１がコーラーＩＤを受信するための所定の動作を行う間、外線３からコーラーＩＤを受信する。これにより、ファクシミリ装置は、外部端末１１が受信しているコーラーＩＤを同時に受信する。
【００７６】
次に、ＳＴ４０４において、装置制御部１は、外部端末１１が一次応答を終え、外線３を開放したか否かを、ループ検知部１４の検知に基づいて判断する。外部端末１１が一次応答を終了した場合（Ｙｅｓ）、ＳＴ４０５において、装置制御部１は、外線３からの通常の呼出信号を受信し、通話部２０を鳴動させる。これと同時に外部端末１１も鳴動する。
【００７７】
一方、ＳＴ４０２において、外部端末１１が応答しないと判断した場合（Ｎｏ）、ＳＴ４０６において、カー信号による呼び出しが５回目であるか否かを判断する。５回目未満の場合には上記ＳＴ４０２に戻る。
【００７８】
ＳＴ４０６において、カー信号が来ていない場合、すなわち呼び出し５回以内に外部端末１１が呼び出しに応答した場合（Ｙｅｓ）、ＳＴ４０７において、装置制御部１は、一次応答処理を行ってコーラーＩＤを受信する。その後、ＳＴ４０５において、外線３からの呼び出し信号を受信し、通話部２０が鳴動させると同時に外部端末１１も鳴動する。
【００７９】
ＳＴ４０５の後は、利用者がファクシミリ装置又は外部端末１１の受話器を取り、通話を行う。
【００８０】
上記実施の形態２に係るファクシミリ装置によれば、外部端末１１がコーラーＩＤを受信可能である場合、外部端末１１にコーラーＩＤを受信させ、その間、外線３を監視してファクシミリ装置でもコーラーＩＤを受信するようにしたので、外部端末１１にコーラーＩＤを表示させると共に、ファクシミリ装置でも同時にコーラーＩＤを表示させることができる。この結果、上記実施の形態１に係るファクシミリ装置と異なり、ファクシミリ装置がコーラーＩＤを受信してから外部端末１１がコーラーＩＤを受信するまでのタイムラグがないため、外部端末１１を外線３からの呼び出しに対してより速く反応させることができる。
【００８１】
また、上記実施の形態１では、外部端末１１へコーラーＩＤ送出中にファクシミリ装置の通話部２０は鳴動するが、外部端末１１は受信中であるので鳴動することができない。このため、ファクシミリ装置と外部端末１１とでは鳴動するタイミングがずれてしまう。しかし、上記実施の形態２では、カー信号を同時に受信するので、鳴動のタイミングがずれるのを防止することができる。
【００８２】
また、通常、カー信号は６回までしか送信されてこない。さらに、６回を過ぎると通常の呼出信号が送出され、コーラーＩＤサービスを受けられない。しかし、上記実施の形態２では、ＳＴ４０６において、カー信号の回数を監視し、外部端末１１が呼び出しに対応しない場合は、ファクシミリ装置がコーラーＩＤを受信するようにしている。このため、カー信号に必ず対応することができる。
【００８３】
（実施の形態３）
次に、ファクシミリ装置及びこれに並列に接続した並列接続端末の両方でコーラーＩＤを受信することが可能な実施の形態３に係るファクシミリ装置について図５及び図６を参照して説明する。
【００８４】
図５は、上記実施の形態３に係るファクシミリ装置の全体を示すブロック図である。図５に示すファクシミリ装置は、外線３に対してファクシミリ装置と並列に並列接続端末５１が接続されていること、及び、音声送出部６、Ｖ２３ＴＸ制御部７、内線給電部９、内線８、内／外線切替部１０、接続線１２、コネクタ部１３及びループ検知部１４を備えていない以外は、図１に示す上記実施の形態１に係るファクシミリ装置と同様の構成からなる。同一の構成については、図１と同じ符号を付けて説明を省略する。
【００８５】
図６は、上記実施の形態３に係るファクシミリ装置における動作を示すフロー図である。
【００８６】
まず、ＳＴ６０１において、着信信号検知部２によりカー信号を検知する。カー信号を検知した場合（Ｙｅｓ）、ＳＴ６０２において、装置制御部１は、カー信号を検知した後Ｖ２３ＲＸ制御部５を起動し、外線３を監視することにより、並列接続端末５１がコーラーＩＤを受信したか否か判断する。このとき、装置制御部１はカー信号のカウントを継続している。
【００８７】
並列接続端末５１が応答した場合（Ｙｅｓ）、ＳＴ６０３において、Ｖ２３ＲＸ制御部５は、回線開閉部４により外線３を閉結することなく、外線３を監視すると共に、並列接続端末５１がコーラーＩＤを受信するための所定の動作を行う間、外線３からコーラーＩＤを受信する。これにより、ファクシミリ装置は、並列接続端末５１が受信しているコーラーＩＤを同時に受信する。
【００８８】
次に、ＳＴ６０４において、装置制御部１は、並列接続端末５１がコーラーＩＤの受信を終了したか否かを判断する。並列接続端末５１がコーラーＩＤを終了した場合（Ｙｅｓ）、ＳＴ６０５において、装置制御部１は、外線３からの通常の呼出信号を受信し、通話部２０を鳴動させる。これと同時に並列接続端末５１も鳴動する。
【００８９】
一方、ＳＴ６０２において、並列接続端末５１が応答しないと判断した場合（Ｎｏ）、ＳＴ６０６において、カー信号による呼び出しが５回目であるか否かを判断する。５回目未満の場合には上記ＳＴ６０２に戻る。
【００９０】
ＳＴ６０６において、カー信号が来ていない場合、すなわち呼び出し５回以内に並列接続端末５１が呼び出しに応答した場合（Ｙｅｓ）、ＳＴ６０７において、装置制御部１は、一次応答処理を行ってコーラーＩＤを受信する。その後、ＳＴ６０５において、外線３からの呼び出し信号を受信し、通話部２０が鳴動させると同時に並列接続端末５１も鳴動する。
【００９１】
ＳＴ６０５の後は、利用者がファクシミリ装置又は並列接続端末５１の受話器を取り、通話を行う。
【００９２】
上記実施の形態３に係るファクシミリ装置によれば、並列接続端末５１がコーラーＩＤを受信可能である場合、並列接続端末５１にコーラーＩＤを受信させ、その間、外線３を監視してファクシミリ装置でもコーラーＩＤを受信するようにしたので、並列接続端末５１にコーラーＩＤを表示させると共に、ファクシミリ装置でも同時にコーラーＩＤを表示させることができる。
【００９３】
本発明は、上記実施の形態１〜３に限定されるものではない。例えば、上記実施の形態１〜３においては、コーラーＩＤ受信装置を内蔵したファクシミリ装置を例に挙げて説明したが、コーラーＩＤ受信装置単体であっても良い。また、コーラーＩＤ受信装置を内蔵する本体は、電話、モデムが接続されたパーソナルコンピュータのような他の通信装置であっても良い。
【００９４】
また、上記実施の形態１では、コーラーＩＤ及びカー信号を外部端末１１にモデム信号として送信しているが、必ずしもモデムを用いる必要はなく、ＰＢ信号等の他のデータ信号であっても良い。
【００９５】
【発明の効果】
以上説明したように、本発明によれば、装置本体に接続された外部端末において、コーラーＩＤを表示できる。また、装置本体及び外部端末で同時にコーラーＩＤを表示できる。
【図面の簡単な説明】
【図１】本発明の実施の形態１に係るコーラーＩＤ受信装置を搭載したファクシミリ装置の全体ブロック図
【図２】上記実施の形態１に係るコーラーＩＤ受信装置の動作を示すフロー図
【図３】上記実施の形態１に係るコーラーＩＤ受信装置において音声でコーラーＩＤを送信する動作を示すフロー図
【図４】本発明の実施の形態２に係るファクシミリ装置における動作を示すフロー図
【図５】本発明の実施の形態３に係るファクシミリ装置の全体を示すブロック図
【図６】上記実施の形態３に係るファクシミリ装置における動作を示すフロー図
【符号の説明】
１  装置制御部
２  着信信号検知部
３  外線
４  回線開閉部
５  Ｖ２３ＲＸ制御部
６  音声送出部
７  Ｖ２３ＴＸ制御部
１１  外部端末
５１  並列接続端末
【図１】
0003725509.tif 000002
【図２】
0003725509.tif 000003
【図３】
0003725509.tif 000004
【図４】
0003725509.tif 000005
【図５】
0003725509.tif 000006
【図６】
0003725509.tif 000007